(57)【要約】【課題】内容物が収納された内袋を外袋から取り出す作業を容易にするとともに内袋が破れて内容物が漏れる虞を可及的に防止した紙袋を提供する。【解決手段】内容物を収納する内袋２と外袋４とを具え、外袋は紙の筒体一方の開口に５ａ臨む端部７に平面六角形状の封緘部１５が形成されて該一方の開口が封緘され、封緘部は、一方の開口が矩形状開口にされその両側に展開面８を有する展開部１１を具え、展開部の第一折筋に対し一側と他側の台形部１０ａ、１０ｂがその順で各第二折筋Ｘ２に沿って夫々折られ対向する部材に接着される紙袋は、各展開面８に接着される紙片２１の一側に設けられ手が挿入されるポケット部Ｐを具え、内袋２は、一方の台形部１０ａとともに第二折筋に沿って折られる領域Ｓを有し、該領域は対向する紙片２１又は対向する外袋４に接着されない。【選択図】図１
2014105005.tif 000002
【特許請求の範囲】
【請求項１】
内容物を収納する内袋と、内袋を覆う外袋とを具え、外袋は、紙の筒体の一方の開口に臨む端部に平面六角形状の封緘部が形成されることにより該一方の開口が封緘され、
前記封緘部は、前記一方の開口に臨む端部が第一折筋に沿って折られるとともに前記端部が正面側で展開された場合に形成され、前記一方の開口が矩形状開口にされるとともに矩形状開口の両側に展開面を有する展開部を具え、該展開部は第一折筋に対して一側の台形部と他側の台形部を有し、一側の台形部と他側の台形部がその順で各第二折筋に沿ってそれぞれ折られ、折られた部分は各対向する部材にそれぞれ接着されている紙袋であって、
各展開面に接着される紙片の一側に設けられ手が挿入されるポケット部を具え、
内袋は、一側の台形部とともに第二折筋に沿って折られる領域を有し、該領域は対向する紙片又は対向する外袋に接着されないことを特徴とする紙袋。
【請求項２】
前記紙片は間隔を隔てて一対設けられ、該一対の紙片は前記矩形状開口の縁より内側の領域を覆わないことを特徴とする請求項（１）記載の紙袋。
【請求項３】
前記紙片は筒状にされ、筒状にされた紙片の両端開口に臨む開口端部が、前記矩形状開口の縁の外側の展開面に接着されていることを特徴とする請求項（１）記載の紙袋。
【請求項４】
封緘部の４つの角を覆う補強紙を有し、補強紙が封緘部に接着されていることを特徴とする請求項（１）又は請求項（２）に記載の紙袋。
【発明の詳細な説明】
【技術分野】
【０００１】
本発明は、内容物を収納した内袋を外袋から取り出す作業を容易にするとともに内袋が破れて内容物が漏れる虞を可及的に防止した紙袋に関する。
【背景技術】
【０００２】
従来、図１２（ａ）で示すように、紙の筒体５を具え、その一方の開口５ａに臨む端部７（以下、単に「端部」という。）に平面六角形状の封緘部１５が形成され、これにより該一方の開口５ａが封緘された紙袋１５１がある。
この封緘部１５を形成するには、まず、図１２（ｂ）で示すように紙の筒体５が平坦状に折られ、これにより紙袋１５１の正面７ｃと背面７ｄが形成される。
次に、図１２（ｃ）で示すように、端部７が第一折筋Ｘ１に沿って折られるとともに端部７が正面７ｃ側で展開される。すると、一方の開口５ａが矩形状開口９にされるとともに矩形状開口９の両側に三角形状の展開面８を有する展開部１１が形成される。ここで、折りの基準となっている第一折筋Ｘ１は、端部７の縁に平行である。
次に、第一折筋Ｘ１に対し一側に配置された台形部（一側の台形部）１０ａと他側に配置された台形部（他側の台形部）１０ｂが、その順で一対の第二折筋Ｘ２に沿ってそれぞれ折られ、各台形部１０ａ、１０ｂの折られた部分は、それぞれが対向する部材に第一の糊Ｎによってそれぞれ接着される。すると、平面六角形状の封緘部１５が形成される。ここで、折りの基準となっている一対の第二折筋Ｘ２は、端部７の縁に平行である。
なお、第一の糊Ｎは、一側の台形部１０ａの外縁（そのうち第一折筋Ｘ１に沿った外縁および各展開面８に沿った外縁の、第二折筋Ｘ２に対し第一折筋Ｘ１側の部分を除く）および他側の台形部１０ｂの外縁（そのうち第一折筋Ｘ１に沿った外縁および各展開面８に沿った外縁の、第二折筋Ｘ２に対し第一折筋Ｘ１側の部分を除く）に設けられる。
上記した図１２（ａ）は従来の紙袋の封緘部を示す要部概念平面図である。図１２（ｂ）および図１２（ｃ）はこの紙袋の封緘部を作成する手順を示す概念図である。
【０００３】
ところで、従来の紙袋には、粉末等の内容物を収納する内袋と、内袋を覆う外袋とを具えた紙袋がある。その外袋は、上述のように紙の筒体を具えて構成され、紙の筒体の一方の開口に臨む端部に平面六角形状の封緘部が形成され、これにより該一方の開口が封緘される。この封緘部は、通常、外袋の底部を形成する。
また、内袋は、合成樹脂のフィルムによって形成された両端開口の筒体(内筒体)を具えて構成される。内筒体の一方の開口に臨む端部がヒートシールによって封緘されると、内袋の底部が形成される。また、内袋に内容物が収納された後、内袋の他方の開口に臨む端部がヒートシールされると、内袋の口部が封緘される。
内袋の口部が封緘された後、外袋の口部が封緘される。
外袋の口部の封緘は、他方の開口に臨む端部が一側に折られ、折られた端部の縁が封緘紙（図示しない）によって覆われ、この封緘紙が外袋の表面に接着されることによって行われる。
この紙袋では、外袋の口部である他方の開口（以下、「外袋の他方の開口」という。）が開封されて、一方の開口と他方の開口の各位置が逆さにされるとともに外袋が持ち上げられると、内容物を収納した内袋と外袋とが分離され、これにより内容物を収納した内袋が、外袋から取り出される。
このように外袋の他方の開口が開封されて一方の開口と他方の開口の各位置が逆さにされるとともに外袋が持ち上げられるとき、外袋の胴部の両側方部が掴まれる。なお、側方部とは、外袋の胴部のうち正面と背面の境界近傍である。
【０００４】
なお、従来の紙袋には、上端の左右端のうち一方にバルブ口を備え、他方に手で持つためのポケット部を備えている紙袋がある(例えば特許文献１参照)。この紙袋は、内袋と外袋を具えた紙袋ではない。
【０００５】
また、従来の紙袋には、左右の展開面の互いに対向する縁部の第１折線および２本の第２折線を横切る領域のそれぞれに、それらの縁部からそれぞれ内側に向かって延びるように、前記一対の第２折線間の幅よりも幅が大きい閉鎖紙片を、両者の内側の端部同士の間に間隔をあけるようにして糊付けし、さらに台形状の部分を閉鎖紙片にも糊付けしており、かつ前記化粧紙が開封手段を備えている粉体包装用の紙袋がある。(例えば特許文献２参照)。この紙袋は、内袋と外袋を具えた紙袋ではない。
【先行技術文献】
【特許文献】
【０００６】
【特許文献１】特開平１１−３０１６９７号公報
【特許文献２】特許３２８８６０９号公報
【発明の概要】
【発明が解決しようとする課題】
【０００７】
従来の紙袋では、外袋の他方の開口が開封されて一方の開口と他方の開口の各位置が逆さにされるとともに外袋が持ち上げられ、これにより内容物を収納した内袋が外袋から取り出される場合、上述のように外袋の胴部の両側方部が掴まれる。このときに内袋も外袋とともに掴まれ、内容物を収納した内袋を外袋から取り出す作業が難しいことがある、という問題があった。
また、この内袋の取り出しで、内袋も外袋とともに掴まれると、内袋に負荷がかかって内袋が破れ、これにより内容物が漏れることがある、という問題があった。
【０００８】
上述した事情に鑑み、本願の発明は、内容物を収納した内袋を外袋から取り出す作業を容易にするとともに、内袋が破れて内容物が漏れる虞を可及的に防止した紙袋を提供することを目的とする。
【課題を解決するための手段】
【０００９】
上記目的を達成するため、本願の請求項１の発明は、内容物を収納した内袋と、内袋を覆う外袋とを具え、外袋は、紙の筒体の一方の開口に臨む端部に平面六角形状の封緘部が形成されることにより該一方の開口が封緘され、前記封緘部は、前記一方の開口に臨む端部が第一折筋に沿って折られるとともに前記端部が正面側で展開された場合に形成され、前記一方の開口が矩形状開口にされるとともに矩形状開口の両側に展開面を有する展開部を具え、該展開部は第一折筋に対して一側の台形部と他側の台形部を有し、一側の台形部と他側の台形部がその順で各第二折筋に沿ってそれぞれ折られ、折られた部分は各対向する部材にそれぞれ接着されている紙袋であって、各展開面に接着される紙片の一側に設けられ手が挿入されるポケット部を具え、内袋は、一方の台形部とともに前記第二折筋に沿って折られる領域を有し、該領域は、対向する紙片または対向する外袋に接着されないことを特徴する。
本願の請求項２の発明は、請求項１の発明の紙袋において、前記紙片は間隔を隔てて一対設けられ、該一対の紙片は前記矩形状開口の縁より内側の領域を覆わないことを特徴とする。
本願の請求項３の発明は、請求項１の発明の紙袋において、前記紙片は筒状にされ、筒状にされた紙片の両端開口に臨む開口端部が、前記矩形状開口の縁の外側の展開面に接着されていることを特徴とする。
本願の請求項４の発明は、請求項１又は請求項２の発明の各紙袋において、前記封緘部の４つの角を覆う補強紙を有し、補強紙が封緘部に接着されていることを特徴とする。
【発明の効果】
【００１０】
本願の請求項１乃至４の各発明の紙袋では内容物を収納した内袋を外袋から取り出す作業を容易にするとともに内袋が破れて内容物が漏れる虞を可及的に防止できた。
【図面の簡単な説明】
【００１１】
【図１】図１は本願発明の第一実施例の紙袋の要部概念平面図である。
【図２】図２は図１の紙袋の封緘部を作成する手順を示す概念図である。
【図３】図３は図１の紙袋の封緘部を作成する手順を示す概念図である。
【図４】図４は図３の紙袋の内袋の様子を示す図である。
【図５】図５（ａ）は第一実施例の紙袋の外袋を持ち上げる様子を示している概念斜視図である。図５（ｂ）は従来のオープン袋が持ち上げられ中折れが発生した様子を示す概念斜視図であって図５（ａ）との比較のために設けた参考図である。
【図６】図６（ａ）は第一実施例の紙袋の外袋の他方の開口を開封した様子を示す概念斜視図であり、図６（ｂ）は図６（ａ）の紙袋をその一方の開口と他方の開口の各位置が逆さにされるとともに外袋が持ち上げられた様子を示す概念斜視図である。
【図７】図７は本願発明の第二実施例の紙袋の封緘部の構造を示す紙袋の要部概念平面図である。
【図８】図８は図７の紙袋の封緘部を示す紙袋の要部概念平面図である。
【図９】図９は本願発明の第三実施例の紙袋の封緘部の構造を示す紙袋の要部概念平面図である。
【図１０】図１０は図９の紙袋の封緘部を示す紙袋の要部概念平面図である。
【図１１】図１１は本願願発明の第四実施例の紙袋の封緘部を示す紙袋の要部概念平面図であり、この紙袋の代表例として第一の実施例の紙袋の封緘部の４つの角を覆う補強紙が設けられ、この補強紙が封緘部に接着された紙袋を示した図である。
【図１２】図１２（ａ）は従来の紙袋の封緘部を示す要部概念平面図である。図１２（ｂ）は図１２（ａ）の紙袋の封緘部を作成する手順を示す概念図であって、一方の開口に臨む端部の正面を第一折筋に沿って折る前の様子を示す図である。図１２（ｃ）は図１２（ａ）の紙袋の封緘部を作成する手順を示す概念図であって、一方の開口に臨む端部の正面を第一折筋に沿って折り、該端部を展開し、糊を配置した様子を示す図である。
【発明を実施するための形態】
【００１２】
本願発明の紙袋について、以下、第一実施例乃至第四実施例の各紙袋で詳述する。
【００１３】
図１で示すように、本願発明の第一実施例の紙袋１は、粉末等の内容物Ｃを収納する内袋２（図６（ｂ））と、内袋２を覆う外袋４とを具えている。
紙袋１の外袋４は、紙の筒体５の一方の開口５ａに臨む端部７に平面六角形状の封緘部１５が形成され、これにより該一方の開口５ａが封緘されている。
なお、図１は、本願発明の第一実施例の紙袋の封緘部を示す紙袋の要部概念平面図である。図１乃至後述する図１１では図１２と同一部分を同一符号で示している。
【００１４】
紙袋１の内袋２は、合成樹脂のフィルムの両端開口の筒体（以下、内袋２の筒体という。）を具えて構成される。合成樹脂のフィルムは例えばポリエチレンのフィルムからなる。
一方、外袋４は、両端開口の紙の筒体５を具え、紙の筒体５の胴部は、内袋２の筒体の胴部を囲繞する。 
【００１５】
まず、紙の筒体５は、内袋２の筒体とともに平坦状に折られ、これにより外袋５の正面７ｃと背面７ｄ（図１２（ｂ）を参照。）、内袋２の正面および背面が形成される。
次に内袋２の筒体の一方の開口に臨む端部（符号なし）がヒートシールによって封緘され、このヒートシール部Ｈ（図４）が内袋２の底部となる。ヒートシールは紙の筒体５を介して行われる。
【００１６】
次に、図３で示すように、紙の筒体５の一方の開口５ａに臨む端部７（以下、単に「端部」という。）が第一折筋Ｘ１に沿って谷折りで折られるとともに端部７が正面７ｃ側で展開される。この場合、一方の開口５ａが矩形状開口９にされるとともに、矩形状開口９の両側に三角形状の展開面８を有する展開部１１が形成される。ここで、折りの基準となっている第一折筋Ｘ１は端部７の縁に平行である。  
なお、図３では矩形状開口９を発明の内容理解のため太線で図示している。また、この端部７の展開によって、展開部１１は第一折筋Ｘ１に対して一側に配置された台形部（一側の台形部）１０ａと、第一折筋Ｘ１に対して他側に配置された台形部（他側の台形部）１０ｂを有することとなる。
【００１７】
内袋２は、図４の網部で示されているように、展開部１１の展開面８が形成される際に端部７の背面７ｄとともに折られ、これにより直角三角形の内袋折り部２ｅが形成される。内袋折り部２ｅは、第一折筋Ｘ１に沿った一辺と展開面８に沿った二辺とを有する。
なお、内袋２と端部７の背面７ｄは、いずれも第一折筋Ｘ１に沿った谷折りはなされない。
【００１８】
次に、矩形状開口９近傍のコの字状の領域に第一の糊Ｎが設けられる。
第一の糊Ｎが設けられる領域は、より具体的には、図３で示すように、展開面８の矩形状開口９に臨む縁の外側部分と、両隅の展開面８の間に位置する他側の台形部１０ｂの縁の内側内面の部分である。
このうち展開面８の矩形状開口９に臨む縁の外側部分に設けられる第一の糊Ｎは、第一折筋Ｘ１および一対の第二折筋Ｘ２を横切って設けられており、この第一の糊Ｎは、紙片２１を展開面８に接着させる糊、一側の台形部１０ａの、第二折筋Ｘ２に沿って折られた部分を、それが対向する部材に接着させる糊、および他側の台形部１０ｂの、第二折筋Ｘ２に沿って折られた部分を、それが対向する部材に接着させる糊を連続配置したものである。
また、両隅の展開面８の間に位置する他側の台形部１０ｂの縁の内側内面の部分に設けられる第一の糊Ｎは、他側の台形部１０ｂの、第二折筋Ｘ２に沿って折られた部分をそれが対向する部材に接着させる糊である。
上記した図２（後述）および図３は、図１の紙袋の封緘部を作成する手順を示す概念図である。また、図４は図３の紙袋の内袋の様子を示す図である。
【００１９】
次に、図２で示すように展開面８に紙片２１を配置する。なお、紙片２１の幅Ｗａは、第一実施例では一対の第二折筋Ｘ２間の幅Ｗｂより広い。展開面８には第一の糊Ｎが設けられているから、紙片２１は、第一の糊Ｎによって、図３で示すように展開面８に接着される。
【００２０】
また、紙片２１が接着された後、図２で示すように、この実施例の紙袋１の紙片２１のように、紙片の幅Ｗａが一対の第二折筋Ｘ２間の幅Ｗｂより広い紙片の場合には、該紙片２１のうち、第二折筋Ｘ２より外側で、矩形状開口９より外側の領域に第二の糊Ｍが設けられる。この領域は矩形状開口９の縁近傍に設けられる。
次に図１で示すように、一側の台形部１０ａと他側の台形部１０ｂ（図２）がその順で各第二折筋Ｘ２に沿ってそれぞれ折られ、折られた部分は各対向する部材にそれぞれ第一の糊Ｎで接着される。ここで、折りの基準となっている一対の第二折筋Ｘ２は、上記一方の開口５ａに臨む端部７の縁に平行である。
また、第一の糊Ｎによって、一側の台形部１０ａの折られた部分はそれが対向する部材である紙片２１に接着され、他側の台形部１０ｂの折られた部分はそれが対向する部材である、紙片２１および一方の台形部１０の背面７ｄの外面に接着される。
また、第一実施例の紙袋１の紙片２１のように、紙片の幅Ｗａが一対の第二折筋Ｘ２間の幅Ｗｂより広い紙片の場合には、一側の台形部１０ａが第二折筋Ｘ２に沿って折られるとき、その折りと同時に、紙片も第二折筋Ｘ２に沿って折られる。また他側の台形部１０ａが第二折筋Ｘ２に沿って折られるとき、その折りと同時に、該紙片も第二折筋Ｘ２に沿って折られる。そのため、この紙片が各第二折筋Ｘ２に沿って折られると、互いに対向する紙片２１同士が、第二の糊Ｍによって接着される。
すると、図１で示すように平面が六角形状の封緘部１５が形成される。このように封緘部１５が形成されると、その封緘部１５によって外袋４の底部が形成される。
また、内袋２は、一方の台形部１０ａとともに第二折筋Ｘ２に沿って折られる領域Ｓ（図２参照）を有する。なお、内袋２とともに第二折筋Ｘ２に沿って折られるのは、より具体的には一方の台形部１０ａを構成している端部７の背面７ｄである。
この領域Ｓは、対向する紙片２１（第一、第三、第四実施例の紙片）または対向する外袋２（第二実施例の外袋）に接着されない。
なお、この領域Ｓには、矩形状開口９から露出する内袋の露出領域も含まれる（図２、図７、図９参照）。
【００２１】
上述したようにヒートシール部Ｈによる底部を具えた内袋２と、上述した外袋４の底部とが形成されると、紙袋１が出来上がる。出来上がった紙袋１には、開放されている内袋２の口部を介して収容物Ｃが充填・収納される。なお、出来上がった紙袋１では、封緘部１５の形成によって、内袋２は外袋４の一方の台形部１０ａを構成している端部７の背面７ｄとともに折られている。
また、この紙袋１では、内袋２の、開放されている内袋２の口部が封緘される。この封緘は、内袋２の筒体の他方の開口に臨む端部（符号なし）がヒートシールされることにより行われる（図６（ａ）のヒートシール部Ｈを参照）。なお、ヒートシールは従前の内袋２の封緘方法であり、また外袋４を介して行われる。
【００２２】
次に、外袋４の、開放されている紙の筒体５の他方の開口５ｂ（以下、外袋４の他方の開口５ｂという。）である口部が封緘される。
この外袋４の口部の封緘は、外袋４の他方の開口５ｂに臨む端部が該端部の縁に平行な折筋（図示しない）に沿って一側に折られ、折られた端部７の縁が封緘紙（図示しない）によって覆われ、この封緘紙が外袋４の表面に接着されることによって行われる。なお、この封緘紙による封緘は従前の封緘方法である。
また、紙袋１の外袋４の口部は、図６（ａ）で示すように鋏その他の従前の開封手段によって開封される。なお、図６（ａ）では、口部を封緘していた封緘紙の図示を省略している。
【００２３】
また、このような紙袋１は、図５で示すように、紙片２１の一側に、ポケット部Ｐ（窪み部）が具えられる。ポケット部Ｐの窪みは、紙片２１の一面と展開面８との間に設けられる。外袋４を持ち上げるときにこのポケット部Ｐの窪みに手を挿入すれば、外袋４を持ち上げることができる。このように、この紙袋１では、外袋４を持ち上げる手が挿入されるポケット部Ｐが設けられているので、従来のように外袋４の胴部の両側方部が掴む紙袋に比べて、外袋４を持ち上げることが容易となる。
また、紙片２１は、ポケット部Ｐに挿入された手によって掴まれる。そのため、この紙片２１によっても外袋４の持ち上げが容易となり、さらに他方の開口５ｂが開封された際に一方の開口５ａと他方の開口５ｂの各位置が逆さにすることが容易となる。
なお、図５（ａ）は、第一実施例の紙袋の外袋を持ち上げる様子を示している概念斜視図である。
【００２４】
また、図６（ａ）で示すように外袋２の他方の開口５ｂが開封されて、図６（ｂ）で示すように、一方の開口５ａと他方の開口５ｂの各位置が逆さにされるとともに外袋４が持ち上げられると、該内袋２と外袋４とが分離され、これにより他方の開口５ｂを介し内容物Ｃを収納した内袋２が、外袋４から取り出される。この紙袋１では、上述のようにポケット部Ｐによって外袋４の持ち上げが容易になるので、ポケット部Ｐが設けられない従来の紙袋に比べて、内容物Ｃを収納した内袋２を外袋４から取り出す作業が容易となる。
さらに、この紙袋１では、ポケット部Ｐの紙片２１がポケット部Ｐに挿入された手によって掴まれるから、他方の開口５ｂが開封された際に一方の開口５ａと他方の開口５ｂの各位置が逆さにすることが容易となり、そのためこの紙袋１は、ポケット部Ｐの紙片２１が設けられない従来の紙袋に比べて、内容物Ｃを収納した内袋２を外袋４から取り出す作業が一層容易となる。
なお、図６（ａ）は第一実施例の紙袋の外袋の他方の開口を開封した様子を示す概念斜視図であり、図６（ｂ）は図６（ａ）の紙袋を、その一方の開口と他方の開口の各位置が逆さにされるとともに外袋が持ち上げられた様子を示す概念斜視図である。
【００２５】
以上で説明したように、この紙袋１は、内容物Ｃを収納する内袋２と、内袋２を覆う外袋４とを具え、外袋４は、紙の筒体５の一方の開口５ａに臨む端部７に平面六角形状の封緘部１５が形成されることにより該一方の開口５ａが封緘され、封緘部１５は、一方の開口５ａに臨む端部７が第一折筋Ｘ１に沿って折られるとともに前記端部７が正面７ｃ側で展開された場合に形成され、一方の開口５ａが矩形状開口９にされるとともに矩形状開口９の両側に展開面８を有する展開部１１を具え、該展開部１１は第一折筋Ｘ１に対して一側の台形部１０ａと他側の台形部１０ｂを有し、一側の台形部１０ａと他側の台形部１０ｂがその順で各第二折筋Ｘ２に沿ってそれぞれ折られ、折られた部分は各対向する部材にそれぞれ接着されている。この紙袋１は、各展開面８に接着される紙片２１の一側に設けられ手が挿入されるポケット部Ｐを具えている。また、内袋２は、一方の台形部１０ａとともに第二折筋Ｘ２に沿って折られる領域Ｓを有し、該領域Ｓは対向する紙片２１（第一、第三および第四実施例の各紙袋の紙片）または対向する外袋４（第二実施例の外袋）に接着されない。
このような紙袋１では、各ポケット部Ｐの窪みに手が挿入されて、外袋４の他方の開口５ｂが開封された際に一方の開口５ａと他方の開口５ｂの各位置が逆さにされるとともに外袋４が持ち上げられると、内容物Ｃを収納した内袋２が外袋４から取り出される。
この発明の実施例の紙袋１では、内容物Ｃを収納した内袋２の上記取り出しでは、従来の紙袋のように外袋４の胴部の両側方部が掴まれることはないから、内容物Ｃを収納した内袋２を取り出す作業が難しいという従来の問題は生じず、他方の開口５ｂを介し内容物Ｃを収納した内袋２を外袋４から取り出す作業が、従来の紙袋に比べて容易となる。
また、この紙袋１は、内容物Ｃを収納した内袋２の上記取り出しでは、外袋４の胴部の両側方部が掴まれることはないから、内袋２が外袋４とともに掴まれ、内袋２に負荷がかかって内袋２が破れ、内容物Ｃが漏れることがある、という従来の問題も生じず、この紙袋１では、内袋２が破れて内容物Ｃが漏れる虞が可及的に防止される。
また、第一実施例の紙袋１では、内袋２は、一方の台形部１０ａとともに第二折筋Ｘ２に沿って折られる領域Ｓを有し、該領域Ｓは、対向する紙片２１（第一、第三、第四実施例の紙片）または対向する外袋２（第二実施例の外袋）に接着されない。したがって他方の開口５ｂが開封された際にポケット部Ｐに手が挿入されて一方の開口５ａと他方の開口５ｂの各位置が逆さにするとともに外袋４が持ち上げられたときに、内容物Ｃを収納した内袋２は、該内袋２に負荷がかかることなく、外袋４から円滑に取り出される。
【００２６】
また、この実施例の紙袋１は、ポケット部Ｐによって外袋４の持ち上げが容易であり、そのため、紙袋１の外袋４および内袋２の各一方の開口５ａおよび各他方の開口５ｂが封緘されている場合に、図５で示すように紙袋１の持ち運びも、ポケット部Ｐが設けられていない従来の紙袋１に比べて容易となる。
また、紙袋１の持ち運びが容易であると、パレット上で紙袋１を引き寄せることその他の紙袋１の荷扱いが容易となる。
【００２７】
従来の紙袋には、他方の開口５ｂ（口部）全体が開放された状態で内容物Ｃを充填するタイプの紙袋（いわゆるオープン袋）があり、この袋では、内容物Ｃ充填後封緘する際に、紙袋１の、内容物Ｃを収納・充填しない立ち上がり部分（封緘装置へ紙袋１を挿入する際に必要な空間を確保するための部分）を設ける必要がある。上記立ち上がり部分が設けられたことによって、従来のオープン袋では、紙袋の封緘後の荷扱いの際、図５（ｂ）で示すように封緘されている両端開口（口部と底部）が持たれて紙袋が持ち上げられたときに、紙袋の胴部略中央が折れる状態（この状態を「中折れ」という。）が生じて、荷扱いが困難になりやすかった。
これに対し、第一実施例の紙袋１では、図５（ａ）で示すように、荷扱いの際、ポケット部Ｐに手が挿入され紙袋１を持ち上げるから中折れが乗じる虞はなく、荷扱いが容易である。また、多少乱雑に袋を扱ってもポケット部Ｐには破れが見られない。
なお、図５（ｂ）は従来のオープン袋が持ち上げられ中折れが発生した様子を示す概念斜視図であって図５（ａ）との比較のために設けた参考図である。
【００２８】
また、この実施例の紙袋１ではポケット部Ｐが紙袋１に一対設けられているから、図５（ａ）で示すように両ポケット部Ｐに両手を挿入して外袋４を持ち上げることができ、そのためポケット部Ｐが一つである紙袋１に比べて、紙袋１の持ち運びが一層容易である。
なお、この実施例の紙袋１は、粉体等の内容物Ｃと繋がるバルブが設けられる紙袋１ではないから、バルブが設けられた紙袋１のように、バルブ口やその近辺が破れて粉体等の内容物Ｃがこぼれることは生じないし、またバルブ口だけを掴んで運ぶときに生じていた紙袋１の重量が重いと運ぶことが困難であるという問題も生じない。
【００２９】
なお、第一実施例の紙袋１では、ポケット部Ｐの紙片２１は、一枚の紙片２１から構成したが、この発明の紙袋１では、ポケット部Ｐの紙片２１は一枚の紙片２１に限定されない。たとえば、このポケット部Ｐの紙片は、間隔を隔てて一対設けられていてもよい。
【００３０】
第二実施例の紙袋１０１は、図７で示すように、第一実施例の紙袋１のポケット部Ｐの紙片２１に代え、ポケット部Ｐの紙片３１が間隔を隔てて一対設けられた紙袋である。
この一対の紙片３１の幅Ｗａは、上記紙片２１と同様に、少なくとも一対の第二折筋Ｘ２間の幅Ｗｂより広い。また、一対の紙片３１は、展開面８に接着される。
この一対の紙片３１は矩形状開口９の縁より内側の領域（符号Ｒで示す枠の内側領域）を覆わない。
また、内袋２は、一方の台形部１０とともに第二折筋Ｘ２に沿って折られる領域Ｓ（図２参照）を有し、該領域Ｓは、対向する外袋４の正面４ｃに接着されない。なお、内袋２とともに第二折筋Ｘ２に沿って折られるのは、より具体的には一方の台形部１０ａを構成している端部７の背面７ｄである。
このような第二の実施例の紙袋１０１は、ポケット部Ｐの紙片３１が間隔を隔てて一対設けられ、該一対の紙片３１は、矩形状開口９の縁より内側の領域を覆わないこととしたから、第一実施例の紙袋１に比べ、紙片３１の面積が削減でき、そのため紙袋の製造コストを削減できる。
なお、第二実施例の紙袋１０１では、第一の糊Ｎおよび第二の糊Ｍは、第一実施例の紙袋１で説明した領域と同じ領域にそれぞれ設けられる。
上記した図７は本願発明の第二実施例の紙袋の封緘部の構造を示す紙袋の要部概念平面図である。図８は図７の紙袋の封緘部を示す紙袋の要部概念平面図である。
【００３１】
また、第一実施例および第二実施例の各紙袋１、１０１では、ポケット部Ｐの紙片２１、３１は、平面状態のまま展開面８に接着される紙片であることとしたが、この発明の紙袋１では、ポケット部Ｐの紙片は、これに限定されず、たとえば、紙片は筒状にされていてもよい。
【００３２】
第三実施例の紙袋１１１は、図９で示すように、第一の実施例の紙袋１のポケット部Ｐの紙片２１に代えて設けられるポケット部Ｐの紙片が、筒状にされた紙片４１である紙袋である。
このポケット部Ｐの紙片４１は、平面状の紙片の一端部分４１ａと他端部分４１ｂとを接着して筒状の紙片にされる。筒状にされた紙片４１は、一対の第二折筋Ｘ２間の幅Ｗｂと同一幅を有している。
この筒状にされた紙片４１の両端開口に臨む開口端部４１ｃが、矩形状開口９の縁の外側の展開面８に第一の糊Ｎによって接着されている。
なお、第三実施例の紙袋１１１では第二の糊Ｍを設ける必要はない。また、第三実施例の紙袋１１１では、第一の糊Ｎが、第一実施例の紙袋１で説明した領域と同じ領域（図３）に設けられる。
この第三実施例の紙袋１１１では、ポケット部Ｐの窪みは筒状にされた紙片４１の一側に設けられ、より具体的には筒状の紙片４１の内周面と、それに対向する内周面との間に形成される。
このように第三実施例１１１の紙袋では、ポケット部Ｐの紙片が筒状にされ、筒状にされた紙片４１の両端開口に臨む端部分４１ｃが、矩形状開口９の縁の外側の展開面８に接着されるので、紙袋１１１のポケット部Ｐは、外袋４を持ち上げる一方の手が挿入されるポケット部（第一実施例の紙袋のポケット部Ｐを参照）と他方の手が挿入されるポケット部（第一実施例の紙袋のポケット部Ｐを参照）とが一体にされたものとなる。そのため、この紙袋１１１では、この２つのポケット部の窪みの深さを合計した深さ（紙片４１の筒の長手方向の長さ）を、一方の手の挿入および他方の手の挿入に用いることができ、一方の手および他方の手を、ポケット部Ｐの窪み深く挿入できる。そのため、外袋２の持ち上げおよび他方の開口５ｂを介し内容物Ｃを収納した内袋２を外袋４から取り出す作業が、第一および第二実施例の紙袋に比べ一層容易である。
なお、従来の紙袋（特許文献１）では、外袋４を持ち上げるための紙片とバルブは独立して設けられているから、袋を持ち上げる場合に紙片およびバルブの持ち上げの掴みが浅く、そのため紙袋の持ち上げが難しかった。これに対し、第三実施例の紙袋１１１では、上述のように２つのポケット部が一体に形成されるため、外袋の持ち上げが従来に比べて容易である。
なお、図９は本願発明の第三実施例の紙袋の封緘部の構造を示す紙袋の要部概念平面図である。図１０は図９の紙袋の封緘部を示す紙袋の要部概念平面図である。
【００３３】
また、この発明の紙袋は、第一実施例の紙袋１の封緘部１５の４つの角を覆う補強紙を有し、該補強紙が封緘部１５に接着されている紙袋であってもよい。
第四実施例の紙袋１２１は、図１１で示すように、第一実施例の紙袋１の封緘部１５の４つの角Ｋを覆う補強紙７１を有し、補強紙７１が封緘部１５に接着されている。この４つの角Ｋとは第二折筋Ｘ２に沿った折りにより形成された４つの角Ｋである。
この第四実施例の紙袋１２１は、封緘部の４つの角Ｋを覆う補強紙７１を有し、該補強紙７１が封緘部１５に接着されているから、封緘部１５から内容物が漏れること（ただしこの漏れは内袋２から内容物Ｃが漏れた場合である）は可及的に防止される。
第四実施例の紙袋１２１では、内容物Ｃを収容した内袋２を、他方の開口５を介し外袋４から取り出すには、他方の開口５ｂが開封された後、一方の開口５ａと他方の開口５ｂの各位置が逆さにされるとともに、補強紙７１を剥がして封緘部１５のポケット部Ｐに手が挿入され外袋４が持ち上げられればよい。
なお、第四実施例の紙袋１２１は、上述したように第一実施例の紙袋１の封緘部１５の４つの角Ｋを覆う補強紙７１が設けられ、補強紙７１が封緘部１５に接着されているものとして説明したが、この発明の紙袋はこれに限定されず、紙袋は、第二実施例の紙袋１０１の封緘部１５の４つの角Ｋと、その４つの角Ｋを覆う補強紙７１を有し、補強紙７１が封緘部１５に接着されている紙袋であってもよい。なお、その４つの角Ｋは第二折筋Ｘ２に沿った折りにより形成された４つの角Ｋである。
なお、上記した図１１は、本願願発明の第四実施例の紙袋の封緘部を示す紙袋の要部概念平面図であり、この紙袋の代表例として第一実施例の紙袋の封緘部の４つの角を覆う補強紙が設けられ、この補強紙が封緘部に接着された紙袋を示した図である。
【００３４】
なお、第二乃至第四実施例の各紙袋１、１０１、１１１、１２１では、第一実施例の紙袋１と相違する点について主に述べ、共通する点は省略した。
第二乃至第四実施例の各紙袋１、１０１、１１１、１２１では、第一の実施例の紙袋で奏する基本的作用効果、たとえば、外袋２の持ち上げが容易となる、他方の開口５ｂを介し内容物Ｃを収納した内袋２を外袋４から取り出す作業が容易となる、内袋２の取り出しにおいて外袋４が持ち上げられるときに内袋２が破れて内容物Ｃが漏れる虞が可及的に防止される、内容物Ｃを収納した内袋２は外袋４から円滑に取り出される、紙袋１の持ち運びや荷扱いが容易となる、多少乱雑に袋を扱っても、ポケット部Ｐには破れが見られない等の作用効果を奏することは、もちろんである。
【００３５】
なお、第一、第二および第四実施例の各紙袋１、１０１、１２１の紙片２１、紙片３１、紙片２１は、その各幅Ｗａが一対の第二折筋Ｘ２間の幅Ｗｂより広いものとして説明し、第三実施例の紙袋１１１の筒状にされた紙片４１は、その幅Ｗａが一対の第二折筋Ｘ２間の幅Ｗｂと同一幅であるものとして説明したが、この発明の紙袋の紙片２１、３１および筒状にされた紙片４１の各幅Ｗａは、これら実施例で述べたものに限定されない。なお、紙袋の紙片２１、３１の各幅Ｗａが一対の第二折筋Ｘ２間の幅Ｗｂと同一又は狭い紙袋では、第二の糊Ｍを設ける必要はなく、また筒状にされた紙片４１の幅Ｗａが一対の第二折筋Ｘ２間の幅Ｗｂより広い紙袋では、第二の糊Ｍを設けるのが好ましい。
【産業上の利用可能性】
【００３６】
内容物を収納した内袋を外袋から取り出す作業を容易にするとともに、内袋が破れて内容物が漏れる虞を可及的に防止した紙袋として最適であった。
【符号の説明】
【００３７】
１、１０１、１１１、１２１…紙袋
２…内袋
４…外袋
５…紙の筒体
５ａ…一方の開口
５ｂ…他方の開口
７…一方の開口に臨む端部
７ｃ…端部の正面
７ｄ…端部の背面
８…展開部
９…矩形状開口
１０ａ…一側に配置された台形部
１０ｂ…他側に配置された台形部
１５…封緘部
２１、３１、４１…紙片
２１…一対の紙片
４１…筒状にされた紙片
４１ｃ…筒状にされた紙片の両端開口に臨む開口端部
７１…補強紙
Ｃ…内容物
Ｐ…ポケット部
Ｒ…矩形状開口の縁より内側の領域
Ｓ…内袋の、一方の台形部とともに前記第二折筋に沿って折られる領域
Ｘ１…第一折筋
Ｘ２…一対の第二折筋
【図１】
2014105005.tif 000003
【図２】
2014105005.tif 000004
【図３】
2014105005.tif 000005
【図４】
2014105005.tif 000006
【図５】
2014105005.tif 000007
【図６】
2014105005.tif 000008
【図７】
2014105005.tif 000009
【図８】
2014105005.tif 000010
【図９】
2014105005.tif 000011
【図１０】
2014105005.tif 000012
【図１１】
2014105005.tif 000013
【図１２】
2014105005.tif 000014